(57)【要約】【課題】電気系コネクターの部品を減少することができ、構造の素朴化や、組み立ての容易さ、および工程の減少とコストダウンなどの効果が得られる改良式電気系コネクターを提供する。【解決手段】  電気系コネクターに、ハウジングと格納部と対向する基体とがあり、該ハウジングに、一組や一組以上の対称する上、下の格納部があり、該基体に、入力端子、出力端子、ベース体及びフィルタモジュールがある、改良式電気系コネクターであって、スロットがあるキャッチ装置と、ハウジングの各上、下積層の格納部内には、ぞれぞれに8本の出力端子が設けられ、該出力端子は、フィルタモジュールを介して、該ハウジングの下方にある10本の入力端子と電気的に接続され、これにより、10本だけの入力端子で、同時に、該ハウジングの上、下格納部にある16本の出力端子と電気的に接続される。【選択図】図２
0003101611.tif 000002
【実用新案登録請求の範囲】
【請求項１】
電気系コネクターに、ハウジングと格納部と対向する基体とがあり、該ハウジングに、一組や一組以上の対称する上、下の格納部があり、該基体に、入力端子、出力端子、ベース体及びフィルタモジュールがある、改良式電気系コネクターであって、
スロットがあるキャッチ装置と、
ハウジングの各上、下積層の格納部内には、ぞれぞれに8本の出力端子が設けられ、該出力端子は、フィルタモジュールを介して、該ハウジングの下方にある10本の入力端子と電気的に接続され、これにより、10本だけの入力端子で、同時に、該ハウジングの上、下格納部にある16本の出力端子と電気的に接続される、ことを特徴とする、改良式電気系コネクター。
【請求項２】
該フィルタモジュールは、回路基板と磁気フィルタ素子から構成される、ことを特徴とする、特許請求の範囲請求項１に記載の改良式電気系コネクター。
【請求項３】
電気系コネクターに、ハウジングと格納部と対向する基体とがあり、該ハウジングに、一つや一つ以上の格納部があり、該基体に、入力端子、出力端子、ベース体及びフィルタモジュールがある、改良式電気系コネクターであって、
ハウジングの各格納部内には、8本の出力端子が設けられ、該出力端子は、フィルタモジュールと、該ハウジングの下方にある5本の入力端子と電気的に接続され、これにより、5本だけの入力端子で、該ハウジングの格納部にある8本の出力端子と電気的に接続される、ことを特徴とする、改良式電気系コネクター。
【請求項４】
該フィルタモジュールは、回路基板と磁気フィルタ素子とから構成される、ことを特徴とする、特許請求の範囲請求項3に記載の改良式電気系コネクター。
【考案の詳細な説明】
【技術分野】
【０００１】
本考案は、改良式電気系コネクターに関し、特に、10本だけの入力端子で、同時に、該上、下積層の格納部内に、それぞれに設置される8本の出力端子が電気的に接続されるため、該電気系コネクターの部品を減少することができ、構造の素朴化や、組み立ての容易さ、および工程の減少とコストダウンなどの効果が得られる、電気系コネクターに関する。
【背景技術】
【０００２】
一般な従来のものが、例えば、台湾特許公報に記載される公告第５５５２１０号（特許文献１）の「積層式電気系コネクター」には、主体部があり、前記主体部には、少なくとも第１層のスロット及び第２層のスロットと、各層のスロットに対応して該スロット内に入れ込まれる第１層の導通モジュール及び第２層の導通モジュールと、が設けられ、各層の導通モジュールには、それぞれに第１の導通部と第２の導通部があり、第１の導通部の一端は、外接の接続器とのコンタクト導通することに使われ、もう一端は、湾曲されて、一側にある第１の回路基板の予定位置とコンタクト導通することに使われ、第２の導通部の一端は、第１の回路基板のもう一つの予定位置とコンタクト導通することに使われ、また、もう一端は、湾曲されて、設備端の予定配線と導通するこうに使われ、第２層の導通モジュールは、第１の導通モジュールと同じ方法で、第２の回路基板に接続され、第１の回路基板と第２の回路基板は、それぞれに、第１と第２の導通モジュールの異なる側に立設され、第１と第２の導通モジュールを囲むようにして、第１の収納室と第２の収納室を形成し、第１の収納室と第２の収納室には、二つの回路基板上に設けられる電子素子が収納される。
【特許文献１】台湾特許公告第５５５２１０号公報
【０００３】
上記の「積層式電気系コネクター」が、積層式の効果を実現できても、その整体構造が複雑で、特に、その端子を回路基板上に設置する時、該第１の収納室と第２の収納室にある入力端子の合計数が16本である時（各収納室に、それぞれ、8本の入力端子がある）、互いに合わせるため、該回路基板上の出力端子の合計数が、16本でなければならないから、該電気系コネクターの部品の増加により、構造が複雑になり、組み立てが容易ではないだけでなく、工程の増やしやコストの増加などの現象が起こるので、ゆえに、上記の従来の「積層式電気系コネクター」は、使用者の需要を満足できない。
【考案の開示】
【考案が解決しようとする課題】
【０００４】
それで、本考案の主な目的は、該電気系コネクターが、10本の入力端子だけで、同時に、該上、下積層の格納部内に、それぞれに設置される8本の出力端子を電気的に接続するため、該電気系コネクターの部品を減少することができ、構造の素朴化や、組み立ての容易さ、および工程の減少とコストダウンなどの効果が得られる、改良式電気系コネクターを提供する。
【課題を解決するための手段】
【０００５】
請求項１に記載される本願考案の改良式電気系コネクターは、電気系コネクターに、ハウジングと格納部と対向する基体とがあり、該ハウジングに、一組や一組以上の対称する上、下の格納部があり、該基体に、入力端子、出力端子、ベース体及びフィルタモジュールがある、改良式電気系コネクターであって、
スロットがあるキャッチ装置と、
ハウジングの各上、下積層の格納部内には、ぞれぞれに8本の出力端子が設けられ、該出力端子は、フィルタモジュールを介して、該ハウジングの下方にある10本の入力端子と電気的に接続され、これにより、10本だけの入力端子で、同時に、該ハウジングの上、下格納部にある16本の出力端子と電気的に接続される、ことを特徴とする。
【０００６】
請求項２に記載される本願考案の改良式電気系コネクターは、上記請求項１において、該フィルタモジュールは、回路基板と磁気フィルタ素子から構成される、ことを特徴とする。
【０００７】
請求項３に記載される本願考案の改良式電気系コネクターは、電気系コネクターに、ハウジングと格納部と対向する基体とがあり、該ハウジングに、一つや一つ以上の格納部があり、該基体に、入力端子、出力端子、ベース体及びフィルタモジュールがある、改良式電気系コネクターであって、
ハウジングの各格納部内には、8本の出力端子が設けられ、該出力端子は、フィルタモジュールと、該ハウジングの下方にある5本の入力端子と電気的に接続され、これにより、5本だけの入力端子で、該ハウジングの格納部にある8本の出力端子と電気的に接続される、ことを特徴とする。
【０００８】
請求項４に記載される本願考案の改良式電気系コネクターは、上記請求項３において、該フィルタモジュールは、回路基板と磁気フィルタ素子とから構成される、ことを特徴とする。
【考案の効果】
【０００９】
本考案の改良式電気系コネクターは、電気系コネクターの部品を減少することができ、構造の素朴化や、組み立ての容易さ、および工程の減少とコストダウンなどの効果が得られる。
【考案を実施するための最良の形態】
【００１０】
図１、２、３、及び４は、本考案の立体外観概念図、本考案の立体分解概念図、本考案の剖面状態概念図、及び本考案の回路概念図である。図のように、本考案は、改良式電気系コネクターであり、該電気系コネクターは、ハウジング１と、一組の基体２から構成され、該ハウジング１には、上、下積層の格納部１１があり、該基体２は、ベース体２１、多数の入力端子２２、多数の出力端子２３、及びフィルタモジュール２４からなり、該ベース体２１は、ベース２１１及びロード部２１２から構成され、該多数入力端子２２は、ベース体２１のベース２１１の端面に設置され、該多数出力端子２３は、ベース体２１のロード部２１２の上、下両面に設置され、該フィルタモジュール２４には、回路基板２４１と磁気フィルタ素子２４２とがあり、該多数の入力端子２２と多数の出力端子２３は、それぞれに、フィルタモジュール２４の回路基板２４１上に半田付けされ、フィルタモジュール２４の回路基板２４１上の磁気フィルタ素子２４２に接続されることにより、電気的に接続することを実現し、該ベース体２１は、ハウジング１の格納部１１に設置され、該ベース体２１のロード部２１２の上、下両面にそれぞれにある8本の出力端子２３をハウジング１の上、下積層の格納部１１中（上、下両面の多数の入力端子２３の合計数が、16本である）に位置付け、また、該ベース体２１のベース２１１には、10本の入力端子２２が設置され、該10本の入力端子２２は、電気系コネクターの下方に設置されることにより、外部のマザーボード（図に未表示）と接続することができ、また、該上、下積層の格納部１１内にそれぞれ設置される8本の出力端子２３（上、下両面の出力端子２３の合計数は、16本である）と電気系コネクターの下方に設置される10本の入力端子２２は、フィルタモジュール２４の回路基板２４１と磁気フィルタ素子２４２とが互い接続され、これにより、該電気系コネクターは、10本だけの入力端子２２で、同時に、該上、下積層の格納部１１内に、それぞれに設置される8本の出力端子２３（上、下両面の出力端子２３の合計数は、16本である）が電気的に接続されるため、該電気系コネクターの部品を減少することができ、構造の素朴化や、組み立ての容易さ、および工程の減少とコストダウンなどの効果が得られる。
【００１１】
図４は、本考案の入力、出力端子２２、２３とフィルタモジュール２４とを接続する回路図であり、図において、本考案の入力端子２２と出力端子２３との間には、四組の磁気フィルタ素子２４２、２４２a、２４２b、２４２cが設置され、また、該磁気フィルタ素子２４２、２４２aの中央抽頭部には、それぞれに、電阻２４３、２４３aが直列に接続され、また、該上格納部１１中にある出力端子２３の第４、５のピンと第７、８のピンは、それぞれに、電阻２３１、２３２と直列に接続してから、電阻２４３、２４３a、２３１、２３２と並列に接続し、さらに、磁気フィルタ素子２４２b及２４２cの中央抽頭部には、ぞれぞれに、電阻２４３b、２４３cが直列に接続され、また、該下格納部１１中にある出力端子２３の第４、５のピンと第７、８のピンは、ぞれぞれに、電阻２３３、２３４と直列に接続してから、電阻２４３b、２４３c、２３３、２３４と並列に接続し、さらに、上、下格納部１１中にある電阻２３１、２３２、２３３、２３４、２４３、２４３a、２４３b、２４３cを、容量２４４に接続してから接地することにより、該電気系コネクターは、10本だけの入力端子２２で、同時に、該16本の出力端子２３が電気的に接続されることを実現し、また、本考案は、電気系コネクターが単層の格納部であっても、その5本の入力端子が、8本の出力端子と電気的に接続することができる。
【００１２】
以上の説明は、本考案においてのよりよい実施例であり、本考案の実施範囲は、それにより制限ではないもので、本考案の実用新案登録請求の範囲や明細書の内容に従って、簡単な等価変化や修正は、すべて本考案の範囲内に含まれている。
【図面の簡単な説明】
【００１３】
【図１】本考案の立体外観概念図である。
【図２】本考案の立体分解概念図である。
【図３】本考案の剖面状態概念図である。
【図４】本考案の回路概念図である。
【符号の説明】
【００１４】
１  ハウジング
１１  格納部
２  基体
２１  ベース体
２１１  ベース
２１２  ロード部
２２  入力端子
２３  出力端子
２４  フィルタモジュール
２４１  回路基板
２４２、２４２a、２４２b、２４２c 磁気フィルタ素子
２３１、２３２、２３３、２３４、２４３、２４３a、２４３b、２４３c   電阻
２４４  容量
【図１】
0003101611.tif 000003
【図２】
0003101611.tif 000004
【図３】
0003101611.tif 000005
【図４】
0003101611.tif 000006